(57)【要約】【課題】強度に優れ、濾過効率の低下を抑制することができるエアノズル、このエアノズルを有するエアリフト及びこのエアリフトを備えた濾過装置を提供する。【解決手段】空気源から送り込まれた空気を空気供給対象物に供給するエアノズルにおいて、外周縁が平坦状で内周縁が凸状の断面視でくさび型に形成された複数の環状のワイヤが同軸上で狭隘なスリットを介して配列されて筒状に形成されたウェッジワイヤスクリーンによって構成されたエアノズル本体を備え、環状の各ワイヤの内周縁側から外周縁側に向かって空気が流動して内周縁側から外周縁側に向かって漸次狭小となる狭隘なスリットから空気を噴出する。【選択図】図４
2019098208.tif 000002
【特許請求の範囲】
【請求項１】
空気源から送り込まれた空気を空気供給対象物に供給するエアノズルにおいて、
外周縁が平坦状で内周縁が凸状の断面視でくさび型に形成された複数の環状のワイヤが同軸上で狭隘なスリットを介して配列されて筒状に形成されたウェッジワイヤスクリーンによって構成されたエアノズル本体を備え、
環状の前記各ワイヤの前記内周縁側から前記外周縁側に向かって前記空気が流動して前記内周縁側から前記外周縁側に向かって漸次狭小となる狭隘な前記スリットから前記空気を噴出することを特徴とするエアノズル。
【請求項２】
夾雑物が含まれる原水が流入する濾過槽及び該濾過槽の内部に堆積される粒状の濾材からなる濾層を有する濾過装置の前記濾層に埋設される取入口を有し、該取入口から前記濾材及び該取入口に供給される洗浄水が送り込まれて前記濾材を洗浄するエアリフトの前記取入口に配置されて該取入口に空気を供給するエアノズルにおいて、
外周縁が平坦状で内周縁が凸状の断面視でくさび型に形成された複数の環状のワイヤが同軸上で狭隘なスリットを介して配列されて筒状に形成されたウェッジワイヤスクリーンによって構成されたエアノズル本体を備え、
環状の前記各ワイヤの前記内周縁側から前記外周縁側に向かって前記空気が流動して前記内周縁側から前記外周縁側に向かって漸次狭小となる狭隘な前記スリットから前記空気を噴出することを特徴とするエアノズル。
【請求項３】
夾雑物が含まれる原水が流入する濾過槽及び該濾過槽の内部に堆積される粒状の濾材からなる濾層を有する濾過装置の前記濾層に埋設される取入口を有し、該取入口から前記濾材及び該吸込口に供給される洗浄水が送り込まれて前記濾材を洗浄するエアリフトにおいて、
前記取入口が連結された揚砂管と、
該揚砂管に連結された前記取入口に配置されるエアノズルと、
該エアノズルを介して前記取入口に空気を供給して該取入口から前記濾材及び前記洗浄水を送り込んで前記揚砂管内を通過させる送気管と、を備え、
前記エアノズルが、外周縁が平坦状で内周縁が凸状の断面視でくさび型に形成された複数の環状のワイヤが同軸上で狭隘なスリットを介して配列されて筒状に形成されたウェッジワイヤスクリーンによって構成され、環状の前記各ワイヤの前記内周縁側から前記外周縁側に向かって前記空気が流動して前記内周縁側から前記外周縁側に向かって漸次狭小となる狭隘な前記スリットから前記空気を噴出することを特徴とするエアリフト。
【請求項４】
前記エアノズルは、
前記送気管に連結される取付部と、
該取付部側の基端及び該基端から離間する先端を有するエアノズル本体と、を備え、
該エアノズル本体は、
前記基端から前記先端に亘って前記取入口から送り込まれる前記濾材の送り方向と交差するように前記取入口内に配置されることを特徴とする請求項３に記載のエアリフト。
【請求項５】
前記エアノズル本体に、前記取入口から送り込まれる前記濾材が衝突することを抑止するバッフルが取り付けられたことを特徴とする請求項４に記載のエアリフト。
【請求項６】
前記バッフルは、
前記取入口から送り込まれる前記濾材の送り方向に臨むエアノズル本体を被覆するカバー部を備えることを特徴とする請求項５に記載のエアリフト。
【請求項７】
夾雑物が含まれる原水が流入する濾過槽、該濾過槽の内部に堆積される粒状の濾材からなる濾層、該濾層に埋設される取入口を有して該取入口から前記濾材及び該取入口に供給される洗浄水が送り込まれて前記濾材を洗浄するエアリフトを備える濾過装置において、
前記エアリフトは、
前記取入口が連結された揚砂管と、
該揚砂管に連結された前記取入口に配置されるエアノズルと、
該エアノズルを介して前記取入口に空気を供給して該取入口から前記濾材及び前記洗浄水を送り込んで前記揚砂管内を通過させる送気管と、を備え、
前記エアノズルが、外周縁が平坦状で内周縁が凸状の断面視でくさび型に形成された複数の環状のワイヤが同軸上で狭隘なスリットを介して配列されて筒状に形成されたウェッジワイヤスクリーンによって構成され、環状の前記各ワイヤの前記内周縁側から前記外周縁側に向かって前記空気が流動して前記内周縁側から前記外周縁側に向かって漸次狭小となる狭隘な前記スリットから前記空気を噴出することを特徴とする濾過装置。
【発明の詳細な説明】
【技術分野】
【０００１】
本発明は、エアノズル、エアノズルを有するエアリフト及びエアリフトを備える濾過装置、特に、空気源から送り込まれた空気を空気供給対象物に供給するエアノズル、粒状の濾材からなる濾層を有する濾過装置の濾層に埋設される取入口に配置されてこの取入口に空気を供給するエアノズル、このエアノズルを有するエアリフト、及びこのエアリフトを備える濾過装置に関する。
【背景技術】
【０００２】
河川水や工場排水等の原水に含まれる夾雑物を除去する濾過技術のうち、砂等の粒状物を濾材として、原水から夾雑物を除去する濾過技術が広く利用されている。このような濾過技術を用いた濾過装置が、特許文献１に開示されている。
【０００３】
特許文献１の濾過装置は、原水が流入する濾過槽、及びこの濾過槽内に配置されて濾材からなる濾層が堆積される集水部材を備え、濾過槽内に原水が流入すると、濾層によって原水から夾雑物が除去されて、濾過された濾過水が集水部材によって集水される。
【０００４】
ところで、この種の濾過装置には、濾材を洗浄する洗浄機構が設けられることがある。この洗浄機構の構成の概略を、図８を用いて説明する。
【０００５】
図８で示すように、洗浄機構１０１は、濾過装置の濾過槽１００に配置されるものであり、エアリフト１１０及び洗浄水供給口１２０を主要構成として備える。
【０００６】
エアリフト１１０は、濾材１３０ａからなる濾層１３０に埋設される取入口１１１ａを有する揚砂管１１１、及びこの揚砂管１１１と間隙Ｓを介して平行に配置される送気管１１２を備える。
【０００７】
この送気管１１２は、揚砂管１１１の取入口１１１ａに連結されて取入口１１１ａに空気を供給するエアノズル１１２ａを有する。
【０００８】
一方、洗浄水供給口１２０は、濾過槽１００において揚砂管１１１の取入口１１１ａの下方に配置される。
【０００９】
濾材１３０ａを洗浄する場合は、洗浄水供給部１２０から揚砂管１１１の取入口１１１ａに向かって洗浄水が供給されるとともに、図示しない揚砂ブロアによって送気管１１２に空気が送り込まれ、この空気がエアノズル１１２ａを介して気泡として取入口１１１ａに供給される。
【００１０】
これにより、取入口１０１ａの近傍の濾材１３０ａがほぐされながら、濾材１３０ａ及び洗浄水が取入口１１１ａを介して揚砂管１１１に送り込まれる。
【００１１】
揚砂管１１１に吸い込まれた濾材１３０ａは、同じく揚砂管１１１に送り込まれた洗浄水によって、揚砂管１１１を通過する過程で洗浄される。
【００１２】
洗浄により夾雑物を含むこととなった洗浄水は、図示しない排出口を介して濾過槽１００の外部に排出される一方、夾雑物が分離された濾材１２０ａは、吐出口１００ａを介して濾過槽１００の上部から濾層１３０の上に吐出される。
【００１３】
このように、濾材１３０ａが揚砂管１１１に送り込まれて濾層１３０の上に吐出されることによって、濾材１３０ａが揚砂管１１１の取入口１１１ａに向かって流動する。
【先行技術文献】
【特許文献】
【００１４】
【特許文献１】特開２００４−２０２２９７
【発明の概要】
【発明が解決しようとする課題】
【００１５】
ところで、エアノズル１１２ａは、濾層１３０に埋設されて濾材１３０ａが充満する取入口１１１ａに連結されていることから、送気管１１２に空気が送り込まれ、この空気がエアノズル１１２ａを介して気泡として取入口１１１ａに供給されることによって、取入口１１１ａに濾材１３０ａが送り込まれると、エアノズル１１２ａに濾材１３０ａが衝突して、エアノズル１１２ａが破損する場合があることが想定される。
【００１６】
さらに、取入口１１１ａに濾材１３０ａが送り込まれると、エアノズル１１２ａのエア噴出口に濾材１３０ａが入り込んで目詰まりが発生する場合もあることが想定される。
【００１７】
エアノズル１１２ａが破損したり、目詰まりが発生したりすると、取入口１１１ａに供給する空気の量が低下することから、揚砂管１１１に送り込まれる濾材１３０ａ及び洗浄水の単位時間当たりの量が低下して、濾材１３０ａの洗浄効率が低下することが想定される。
【００１８】
このように、濾材１３０ａの洗浄効率が低下すると、濾過装置による原水の濾過効率が低下することが懸念される。
【００１９】
本発明は、上記事情に鑑みてなされたものであり、強度に優れ、濾過効率の低下を抑制することができるエアノズル、このエアノズルを有するエアリフト及びこのエアリフトを備えた濾過装置を提供することを課題とするものである。
【課題を解決するための手段】
【００２０】
上記課題を解決するための、本発明に係るエアノズルは、空気源から送り込まれた空気を空気供給対象物に供給するエアノズルにおいて、外周縁が平坦状で内周縁が凸状の断面視でくさび型に形成された複数の環状のワイヤが同軸上で狭隘なスリットを介して配列されて筒状に形成されたウェッジワイヤスクリーンによって構成されたエアノズル本体を備え、環状の各ワイヤの内周縁側から外周縁側に向かって空気が流動して内周縁側から外周縁側に向かって漸次狭小となる狭隘なスリットから空気を噴出することを特徴としている。
【００２１】
このエアノズルによれば、エアノズル本体が、強度に優れたウェッジワイヤスクリーンによって構成されていることから、エアノズル本体に衝撃が付与された場合であっても、エアノズル本体が破損することが抑制される。
【００２２】
さらに、空気を噴出するスリットは、エアノズル本体を構成する環状のワイヤの内周縁側から外周縁側に向かって漸次狭小となって狭隘に形成されることから、例えば液相中でエアノズルから空気を噴出することによって、微細な気泡を発生させることができる。
【００２３】
しかも、エアノズル本体は、ウェッジワイヤスクリーンで構成されることによって、空気を噴出するスリットが狭隘に形成されていることから、スリットの目詰まりの発生が抑制される。
【００２４】
上記課題を解決するための、本発明に係るエアノズルは、夾雑物が含まれる原水が流入する濾過槽及び濾過槽の内部に堆積される粒状の濾材からなる濾層を有する濾過装置の濾層に埋設される取入口を有し、取入口から濾材及び取入口に供給される洗浄水が送り込まれて濾材を洗浄するエアリフトの取入口に配置されて取入口に空気を供給するエアノズルにおいて、外周縁が平坦状で内周縁が凸状の断面視でくさび型に形成された複数の環状のワイヤが同軸上で狭隘なスリットを介して配列されて筒状に形成されたウェッジワイヤスクリーンによって構成されたエアノズル本体を備え、環状の各ワイヤの内周縁側から外周縁側に向かって空気が流動して内周縁側から外周縁側に向かって漸次狭小となる狭隘なスリットから空気を噴出することを特徴としている。
【００２５】
このエアノズルによって、気泡としての空気が取入口に供給されると、取入口の近傍の濾材がほぐされながら、濾材及び洗浄水が取入口を介してエアリフトに送り込まれて、濾材が洗浄される。
【００２６】
濾材が取入口を介してエアリフトに送り込まれる際には、濾材がエアノズル本体に衝突することとなるが、エアノズル本体は、強度に優れたウェッジワイヤスクリーンで構成されていることから、濾材がエアノズル本体に衝突しても、エアノズル本体が破損することが抑制される。
【００２７】
しかも、空気を噴出するスリットが、エアノズル本体を構成するワイヤの内周縁側から外周縁側に向かって漸次狭小となって狭隘に形成されることから、エアリフトに濾材及び洗浄水を送り込むことに適した微細な気泡を発生させることが可能になるとともに、スリットの目詰まりの発生が抑制される。
【００２８】
その結果、エアノズルから取入口に供給される空気の量が低下することがないことから、エアリフトに送り込まれる濾材及び洗浄水の単位時間当たりの空気の量の低下も招くことがない。
【００２９】
したがって、濾材の洗浄効率が低下することがないことから、濾過装置による原水の濾過効率の低下を抑制することができる。
【００３０】
上記課題を解決するための、本発明に係るエアリフトは、夾雑物が含まれる原水が流入する濾過槽及び濾過槽の内部に堆積される粒状の濾材からなる濾層を有する濾過装置の濾層に埋設される取入口を有し、取入口から濾材及び吸込口に供給される洗浄水が送り込まれて濾材を洗浄するエアリフトにおいて、取入口が連結された揚砂管と、揚砂管に連結された取入口に配置されるエアノズルと、エアノズルを介して取入口に空気を供給して取入口から濾材及び洗浄水を送り込んで揚砂管内を通過させる送気管と、を備え、エアノズルが、外周縁が平坦状で内周縁が凸状の断面視でくさび型に形成された複数の環状のワイヤが同軸上で狭隘なスリットを介して配列されて筒状に形成されたウェッジワイヤスクリーンによって構成され、環状の各ワイヤの内周縁側から外周縁側に向かって空気が流動して内周縁側から外周縁側に向かって漸次狭小となる狭隘なスリットから空気を噴出することを特徴としている。
【００３１】
このエアリフトによれば、エアノズルによって、気泡としての空気が取入口に供給されると、取入口の近傍の濾材がほぐされながら、濾材及び洗浄水が取入口を介して揚砂管に送り込まれて、濾材が洗浄される。
【００３２】
濾材が取入口を介してエアリフトに送り込まれる際には、濾材がエアノズルに衝突することとなるが、エアノズルは、強度に優れたウェッジワイヤスクリーンで構成されていることから、濾材がエアノズルに衝突しても、エアノズルが破損することが抑制される。
【００３３】
しかも、空気を噴出するスリットが、エアノズルを構成するワイヤの内周縁側から外周縁側に向かって漸次狭小となって狭隘に形成されることから、エアリフトに濾材及び洗浄水を送り込むことに適した微細な気泡を発生させることが可能になるとともに、スリットの目詰まりの発生が抑制される。
【００３４】
その結果、エアノズルから取入口に供給される空気の量が低下することがないことから、エアリフトに送り込まれる濾材及び洗浄水の単位時間当たりの空気の量の低下も招くことがない。
【００３５】
したがって、濾材の洗浄効率が低下することがないことから、濾過装置による原水の濾過効率の低下を抑制することができる。
【００３６】
さらに、このエアリフトのエアノズルは、送気管に連結される取付部と、取付部側の基端及び基端から離間する先端を有するエアノズル本体と、を備え  エアノズル本体は、基端から先端に亘って取入口から送り込まれる濾材の送り方向と交差するように取入口内に配置されることを特徴としている。
【００３７】
しかも、このエアリフトは、エアノズル本体に、取入口から送り込まれる濾材が衝突することを抑止するバッフルが取り付けられたことを特徴としており、さらに、バッフルは、取入口から送り込まれる濾材の送り方向に臨むエアノズル本体を被覆するカバー部を備えることを特徴としている。
【００３８】
したがって、送り方向に沿って取入口から送り込まれる濾材がエアノズル本体に直接的に衝突することが、バッフルのカバー部によって抑止されることから、濾材がエアノズル本体に衝突することによるエアノズル本体の表面部分の摩耗や破損が抑制される。
【００３９】
上記課題を解決するための、本発明に係る濾過装置は、夾雑物が含まれる原水が流入する濾過槽、濾過槽の内部に堆積される粒状の濾材からなる濾層、濾層に埋設される取入口を有して取入口から濾材及び取入口に供給される洗浄水が送り込まれて濾材を洗浄するエアリフトを備える濾過装置において、エアリフトは、取入口が連結された揚砂管と、揚砂管に連結された取入口に配置されるエアノズルと、エアノズルを介して取入口に空気を供給して取入口から濾材及び洗浄水を送り込んで揚砂管内を通過させる送気管と、を備え、エアノズルが、外周縁が平坦状で内周縁が凸状の断面視でくさび型に形成された複数の環状のワイヤが同軸上で狭隘なスリットを介して配列されて筒状に形成されたウェッジワイヤスクリーンによって構成され、環状の各ワイヤの内周縁側から外周縁側に向かって空気が流動して内周縁側から外周縁側に向かって漸次狭小となる狭隘なスリットから空気を噴出することを特徴としている。
【００４０】
この濾過装置によれば、エアリフトのエアノズルによって、気泡としての空気が取入口に供給されると、取入口の近傍の濾材がほぐされながら、濾材及び洗浄水が取入口を介して揚砂管に送り込まれて、濾材が洗浄される。
【００４１】
濾材が取入口を介してエアリフトに送り込まれる際には、濾材がエアノズルに衝突することとなるが、エアノズルは、強度に優れたウェッジワイヤスクリーンで構成されていることから、濾材がエアノズルに衝突しても、エアノズルが破損することが抑制される。
【００４２】
しかも、空気を噴出するスリットが、エアノズルを構成するワイヤの内周縁側から外周縁側に向かって漸次狭小となって狭隘に形成されることから、エアリフトに濾材及び洗浄水を送り込むことに適した微細な気泡を発生させることが可能になるとともに、スリットの目詰まりの発生が抑制される。
【００４３】
その結果、エアノズルから取入口に供給される空気の量が低下することがないことから、エアリフトに送り込まれる濾材及び洗浄水の単位時間当たりの空気の量の低下も招くことがない。
【００４４】
したがって、濾材の洗浄効率が低下することがないことから、濾過装置による原水の濾過効率の低下を抑制することができる。
【発明の効果】
【００４５】
この発明によると、濾材の洗浄効率が低下することがないことから、濾過装置による原水の濾過効率の低下を抑制することができる。
【図面の簡単な説明】
【００４６】
【図１】本発明の実施の形態に係る濾過装置の概略を説明する斜視図である。
【図２】同じく、本実施の形態に係る濾過装置の概略を説明する側面図である。
【図３】図２のＡ部拡大図である。
【図４】同じく、本実施の形態に係るエアノズルの概略を説明する側面図である。
【図５】同じく、本実施の形態に係るエアノズルの概略を説明する図であり、（ａ）は図４のＶ−Ｖ線断面図、（ｂ）は（ａ）の矢線Ｂで示す部分を破断した要部拡大図である。
【図６】同じく、本実施の形に係るエアノズル及びバッフルの概略を説明する分解斜視図である。
【図７】同じく、本実施の形に係るエアノズル及びバッフルの概略を説明する斜視図である。
【図８】濾過装置に設けられた従来の洗浄機構の構成の概略を説明する図である。
【発明を実施するための形態】
【００４７】
次に、本発明の実施の形態について、図１〜図７に基づいて説明する。
【００４８】
図１は、本実施の形態に係る濾過装置の概略を説明する斜視図、図２は、濾過装置の概略を説明する側面図、図３は、図２のＡ部拡大図である。図示のように、濾過装置１０は、夾雑物が含まれる原水を濾過した濾過水を収集する装置であり、濾過槽２０及び洗浄機構３０を主要構成として備える。
【００４９】
濾過槽２０は、底部２０Ａ、底部２０Ａと対向する上部２０Ｂ、及び底部２０Ａと上部２０Ｂとの間の側壁部２０Ｃを有する円筒状に形成される。
【００５０】
この濾過槽２０には、排水トラフ２１Ａ及び排水トラフ２１Ａに設けられて先端縁２１Ｂａが濾過槽２０の内部に突出する区画壁２１Ｂが形成されている。この区画壁２１Ｂは、濾過槽２０の内部を、原水が流入する原水流入口２２ａが設けられた流入槽２２と、後述する夾雑物を含む洗浄水を排出する洗浄水排出口２３ａが設けられた排出槽２３とに区画する。
【００５１】
この区画壁２１の下方において、側壁部２０Ｃから底部２０Ａに亘って傾斜して、集水部２４が配設される。この集水部２４は、本実施の形態では、断面形状がくさび型のウェッジワイヤスクリーンによって構成される。
【００５２】
この集水部２４が側壁部２０Ｃから底部２０Ａに亘って傾斜して配設されることによって、本実施の形態では、濾過槽２０の下部において濾過槽２０から区画された集水槽２５が形成される。
【００５３】
この集水部２４の上部及び底部２０Ａの上部には、本実施の形態では、区画壁２１Ｂの先端縁２１Ｂａが埋設されるように粒状の濾材１ａが堆積されて、流入槽２２の下部と排出槽２３の下部とに亘ってまたがる濾層１が形成される。
【００５４】
この濾層１は、傾斜して配設された集水部２４に沿って、側壁部２０Ｃから底部２０Ａに亘って傾斜して形成され、次述する洗浄機構３０のエアリフト４０の一部が埋設される。
【００５５】
洗浄機構３０は、原水を濾過することによって原水から除去した夾雑物が含まれることとなった濾層１の濾材１ａを洗浄するものであり、本実施の形態では、エアリフト４０、このエアリフト４０で洗浄した濾材１ａ等を排出する排出槽２３に設けられた排出機構５０、及び濾材１ａを洗浄する洗浄水を濾過槽２０内に供給する洗浄水供給機構６０を備える。
【００５６】
エアリフト４０は、本実施の形態では、濾過槽２０の流入槽２２において濾層１に埋設される空気供給対象物となる４基の取入口４１、各取入口４１に連結される４本の揚砂管４２、揚砂管４２に連結された取入口４１に配置されるエアノズル４３、エアノズル４３を保護するバッフル４４、エアノズル４３を介して各揚砂管４２にそれぞれ空気を供給する４本の送気管４５、及び各送気管４５に空気を送り出す空気制御機構４６を備える。
【００５７】
取入口４１は、上部４１ａ、下方に開口する開口部４１ｂ、及び上部４１ａから開口部４１ａに向かうに従って漸次拡径する外周面４１ｃを有する円筒状に形成される。
【００５８】
揚砂管４２は、本実施の形態では、取入口４１の上部４１ａに連結される第1管４２Ａ、第1管４２Ａに連結される第２管４２Ｂ、第２管４２Ｂに連結されて流入槽２２の上部で排出槽２３側に屈曲する第1エルボ４２Ｃ、第1エルボ４２Ｃに連結されて濾過槽２０の上部で流入槽２２と排出槽２３とに亘って架設される第３管４２Ｄ、及び第３管４２Ｄに連結されて排出槽２３内で下方に向かって開口する吐出口４２Ｅａを有する第２エルボ４２Ｅを備える。
【００５９】
図４は、エアノズル４３の概略を説明する側面図、図５（ａ）は、図４のＶ−Ｖ線断面図、図５（ｂ）は図５（ａ）の矢線Ｂで示す部分を破断した要部拡大図である。
【００６０】
図示のように、エアノズル４３は、送気管４５に連結される取付部であるソケット４３Ａ、ソケット４３Ａ側の基端４３ａ及び基端４３ａから離間する先端４３ｂを有するエアノズル本体４３Ｂ、及びソケット４３Ａとエアノズル本体４３Ｂとの間に設けられたフランジ４３Ｃを備える。
【００６１】
エアノズル本体４３Ｂは、本実施の形態では、複数の環状の金属製のワイヤ４３ｃがエアノズル本体４３Ｂの中心軸Ｃと同軸で間隙を介して配列されて筒状に形成されたウェッジワイヤスクリーンによって構成されている。
【００６２】
ワイヤ４３ｃは、外周縁４３ｃ１が平坦状で内周縁４３ｃ２が凸状の断面視くさび状に形成され、このワイヤ４３ｃの内周縁４３ｃ２において、０．２ｍｍの間隙を介して配列された複数のワイヤ４３ｃと、中心軸Ｃと並行するとともに中心軸Ｃに対して放射状に複数配置されたサポートロッド４３ｄとが連結される。
【００６３】
これにより、ワイヤ４３ｃの内周縁４３ｃ２側から外周縁４３ｃ１側に向かって漸次狭小となって、複数のワイヤ４３ｃの間隙が０．２ｍｍの狭隘なスリット４３ｅとして構成され、基端４３ａがフランジ４３Ｃを介してソケット４３Ａ側に位置し、基端４３ａから離間する先端４３ｂに端面４３ｆが設けられたエアノズル本体４３Ｂが形成される。
【００６４】
このように形成されたエアノズル本体４３Ｂは、図５（ｂ）において矢線Ｆで示すように、ワイヤ４３ｃの内周縁４３ｃ２側から外周縁４３ｃ１側に向かって空気が流動して、送気管４５から供給される空気をスリット４３ｅから噴出する。
【００６５】
図６は、本実施の形に係るエアノズル４３及びバッフル４４の概略を説明する分解斜視図、図７は、同じくエアノズル４３及びバッフル４４の概略を説明する斜視図である。
【００６６】
図示のように、バッフル４４は、取付第１フランジ４４Ａ、取付第２フランジ４４Ｂ及びカバー部４４Ｃを主要構成として備え、矢線Ｓで示す送り方向に沿って取入口４１から送り込まれる濾材１ａがエアノズル本体４３Ｂに衝突することを抑止するものである。
【００６７】
取付第１フランジ４４Ａは、エアノズル本体４３Ｂを挿通可能なエアノズル本体挿通孔４４Ａａが穿孔されて板状に形成される。一方、取付第２フランジ４４Ｂは、後述するボルト４４Ｄが挿通されるボルト挿通孔４４Ｂａが穿孔されて板状に形成される。
【００６８】
これら取付第１フランジ４４Ａの下端と取付第２フランジ４４Ｂの下端との間に、断面略への字状のカバー部４４Ｃが設けられて、側面視で略コ字状の金属製のバッフル４４が形成される。
【００６９】
このバッフル４４の取付第１フランジ４４Ａのエアノズル本体挿通孔４４Ａａをエアノズル本体４３Ｂに挿通して取付第１フランジ４４Ａをエアノズル４３のフランジ４３Ｃに当接させると、取付第２フランジ４４Ｂがエアノズル本体４３Ｂの先端４３ｂ側に設けられた端面４３ｆに当接する。
【００７０】
この状態で、取付第２フランジ４４Ｂのボルト挿通孔４４Ｂａにボルト４４Ｄを挿通して締結することによって、バッフル４４がエアノズル本体４３Ｂに取り付けられる。
【００７１】
これにより、バッフル４４のカバー部４４Ｃによって、取入口４１から送り込まれる濾材１ａの送り方向Ｓに臨む側において、エアノズル本体４３Ｂが被覆される。
【００７２】
再び図１〜図３で示すように、送気管４５は、本実施の形態では、空気源である揚砂ブロア４６ａ及び揚砂ブロア４６ａからの空気を調整するエア調整弁４６ｂを備えた空気制御機構４６から送り出される空気を、揚砂管４２に連結された取入口４１に供給する管路である。
【００７３】
この送気管４５は、本実施の形態では、エア調整弁４６ｂに連結されて揚砂管４２の第２管４２Ｂと間隙を介して平行に配設される導入管４５ａ、この導入管４５ａと取入口４１に配置されるエアノズル４３とを連結してエアノズル４３に空気を供給する空気供給管４５ｂを備える。
【００７４】
このように構成されたエアリフト４０は、本実施の形態では、取入口４１、揚砂管４２の第1管４２Ａの一部、及び送気管４５の空気供給管４５ｂの一部が、濾層１に埋設されている。
【００７５】
排出機構５０は、濾過槽２０の上部２０Ｂに設けられて濾過槽２０の排出槽２３内に垂下する取付部５１、及びこの取付部５１と連続して形成されて取付部５１から折曲して傾斜する濾材分離バッフル５２を備える。
【００７６】
本実施の形態では、この取付部５１によって、揚砂管４２がその第３管４２Ｄにおいて支持される。これにより、揚砂管４２の第２エルボ４２Ｅの吐出口４２Ｅａが濾材分離バッフル５２に臨む。
【００７７】
洗浄水供給機構６０は、本実施の形態では、高圧ポンプ等によって構成される洗浄水供給部６１、洗浄水供給部６１から供給される洗浄水をエアリフト４０の吸込口４１に供給する洗浄水供給口６２を備える。
【００７８】
洗浄水供給口６２は、本実施の形態では、濾過槽２０の底部２０Ａに配置されて取入口４１の開口部４１ｂに臨み、この洗浄水供給部６１によって集水槽２５に集水された水が洗浄水として、取入口４１の開口部４１ｂに臨む洗浄水供給口６２から取入口４１に供給される。
【００７９】
次に、本実施の形態に係る濾過装置１０の作動の概略について説明する。
【００８０】
例えば、夾雑物を含んだ原水が濾過槽２０の原水流入部２２ａから濾過槽２０の流入槽２２に流入されると、原水が濾層１を通過して、原水に含まれる夾雑物が濾材１ａによって次第に分離される。
【００８１】
濾層１は、本実施の形態では、傾斜して配設された集水部２４に沿って、側壁部２０Ｃから底部２０Ａに亘って傾斜して形成されており、単位面積当たりの濾過面積を大きくとることができることから、濾過装置１０による原水の濾過効率が向上する。
【００８２】
濾層１を通過した原水は、集水部２４を透過して、集水部２４によって濾過槽２０から区画されて形成された集水槽２５に、濾過水として集水される。濾過水は、後述するエアリフト４０の洗浄水として利用されるほか、外部に排出されて、適宜、上水処理がなされる。
【００８３】
集水部２４は、本実施の形態では、単位面積当たりの開口面積が広く、濾過性能に優れるウェッジワイヤスクリーンで構成されることから、この点においても濾過装置１０による原水の濾過効率が向上する。
【００８４】
このように、濾過装置１０によって原水が濾過されるに従って、濾層１の濾材１ａ中に分離された夾雑物が濾層１に蓄積されることから、濾材１ａを洗浄して夾雑物を除去する必要がある。
【００８５】
濾材１ａを洗浄する場合は、洗浄水供給機構６０の洗浄水供給部６１が、洗浄水供給口６２を介して、集水槽２５に集水された濾過水を洗浄水として取入口４１に供給する一方で、揚砂ブロア４６ａの駆動によって、エア調整弁４６ｂを介して送気管４５に空気を送り出し、この空気を、エアノズル４３の狭隘なスリット４３ｅを介して気泡として取入口４１に供給する。
【００８６】
エアノズル４３によって取入口４１に気泡としての空気が供給されると、取入口４１の近傍の濾材１ａがほぐされながら、濾材１ａ及び洗浄水が取入口４１を介して揚砂管４２に送り込まれる。
【００８７】
このとき、取入口４１を介して濾材１ａが揚砂管４２に送り込まれる際に、取入口４１内に配置されて送り方向Ｓに臨むエアノズル本体４３Ｂに濾材１ａが衝突しても、エアノズル本体４３Ｂは強度に優れたウェッジワイヤスクリーンで構成されることから、エアノズル本体４３Ｂが破損することが抑制される。
【００８８】
しかも、送気管４５から供給された空気を噴出するエアノズル本体４３Ｂのスリット４３ｅは、ワイヤ４３ｃの内周縁４３ｃ２側から外周縁４３ｃ１側に向かって漸次狭小となって複数のワイヤ４３ｃの間が０．２ｍｍと狭隘に形成されていることから、エアリフト４０に濾材１ａ及び洗浄水を送り込むことに適した微細な気泡を発生させることが可能になるとともに、スリット４３ｅの目詰まりの発生が抑制される。
【００８９】
その結果、エアノズル４３から取入口４１に供給される空気の量が低下することがないことから、揚砂管４２に送り込まれる濾材１ａ及び洗浄水の単位時間当たりの空気の量の低下も招くことがない。
【００９０】
したがって、濾材１ａの洗浄効率が低下することがないことから、濾過装置１０による原水Ｗの濾過効率の低下を抑制することができる。
【００９１】
さらに、本実施の形態では、エアノズル本体４３Ｂにバッフル４４が取り付けられていることから、送り方向Ｓに沿って取入口４１から送り込まれる濾材１ａがエアノズル本体４３Ｂに直接的に衝突することが抑止される。
【００９２】
したがって、濾材１ａがエアノズル本体４３Ｂに衝突することによるエアノズル４３の表面部分の摩耗や破損が抑制される。
【００９３】
ところで、揚砂管４２に送り込まれた濾材１ａは、同じく揚砂管４２に吸い込まれた洗浄水によって、揚砂管４２を通過する過程で洗浄される。このように、濾材１ａを洗浄することによって、洗浄水には夾雑物が含まれることとなる。
【００９４】
濾材１ａ及び夾雑物を含むこととなった洗浄水は、揚砂管４２の吐出口４２Ｅａから吐出されて、吐出口４２Ｅａに臨む濾材分離バッフル２５に衝突する。これにより、濾材１ａは濾材分離バッフル２５に沿って濾過槽２０の上部から排出槽２３側の濾層１の上に沈降することから、濾材１ａが排出槽２３内で散逸することが抑制される。
【００９５】
このように、濾材１ａが排出槽２３側の濾層１の上に沈降することによって、洗浄された濾材１ａが、揚砂管４２が連結されて濾層１に埋設された取入口４１に向かって流動する。
【００９６】
なお、本発明は上記実施の形態に限定されることはなく、発明の趣旨を逸脱しない範囲で種々変更可能である。上記実施の形態では、エアノズル本体４３Ｂのスリット４３ｅが０．２ｍｍに設定されている場合を説明したが、エアノズル４３から適切な圧力で空気を噴出することができ、かつ目詰まりをしにくい数値範囲であれば、０．２ｍｍに限定されるものではない。
【符号の説明】
【００９７】
１    濾層
１ａ    濾材
１０    濾過装置
２０    濾過槽
３０    洗浄機構
４０    エアリフト
４１    取入口
４２    揚砂管
４３    エアノズル
４３Ｂ    エアノズル本体
４３ａ    基端
４３ｂ    先端
４３ｃ    ワイヤ
４３ｃ１    外周縁
４３ｃ２    内周縁
４３ｄ    サポートロッド
４３ｅ    スリット
４４    バッフル
４４Ｃ    カバー部
４５    送気管
【図１】
2019098208.tif 000003
【図２】
2019098208.tif 000004
【図３】
2019098208.tif 000005
【図４】
2019098208.tif 000006
【図５】
2019098208.tif 000007
【図６】
2019098208.tif 000008
【図７】
2019098208.tif 000009
【図８】
2019098208.tif 000010